(57)【要約】      （修正有）【課題】けらばに葺設する袖瓦において、風を伴った降雨により斜め方向から受けた雨水が雨垂れとなって地面に落下することを抑止した構造を備え、左右の袖部に兼用でき、容易な施工で意匠性に富んだ袖瓦を提供する。【解決手段】上面部２と、その上面部から葺設状態において略直角に垂下する側面部３とからなり、縦断面が略逆L字又は略L字形であって、左右の袖部にそれぞれ葺設された袖瓦の断面図が左右対称となる袖瓦１において、前記上面部と前記側面部に設けた長さ方向に延びる切り欠き溝１０を頭見付部４まで連続させ、雨受け部１１により側面部から雨垂れとして地面に落下させることなく受け止める。突起６が切り欠き溝１０にはまり込むことで、雨受け部１１は、葺設状態において１段上位又は１段下位に葺設される袖瓦の雨受け部と連続し、任意の袖瓦が受けた雨水を軒先まで流下させることができる。【選択図】図１
2010190003.tif 000002
【特許請求の範囲】
【請求項１】
けらばを有する屋根の左右の袖部に葺設できる上面部（２）と、その上面部から葺設状態において略直角に垂下する側面部（３）とからなり、横断面が略逆L字又は略L字形であって、左右の袖部にそれぞれ葺設された袖瓦の断面が左右対称となる袖瓦（１）において、前記上面部と前記側面部に設けた長さ方向に延びる切り欠き溝（１０）が頭見付部（４）まで連続していることを特徴とする袖瓦。
【請求項２】
上下位の複数段に葺設される袖瓦において、上位袖瓦の側面部（３Ｂ）に形成した切り欠き溝（１０）が雨水を受けたとき、その雨水が前記切り欠き溝から頭見付部（４Ｂ）に形成した頭見付側雨受け部（１２Ｂ）を介して、袖瓦（１）の側面部（３）に形成された切り欠き溝（１０）に流下するように、突起（６）が切り欠き溝（１０）にはまり込み、上位袖瓦の側面部（３Ｂ）と上位袖瓦の頭見付部（４Ｂ）及び袖瓦の側面部（３）の各々の切り欠き溝（１０Ｂ，１０）を連接することを特徴とする袖瓦。
【請求項３】
屋根に袖瓦が葺設された状態において、雨受け部（１１）の頭見付部（４）寄りの部位が、尻寄りの部位より低位になっている請求項１又は請求項２記載の袖瓦。
【請求項４】
屋根に袖瓦が葺設された状態において、頭見付側雨受け部（１２）は、下位袖瓦（Ａ）の雨受け部（１１Ａ）と同一高さもしくは下位袖瓦の雨受け部よりも高い位置に位置している請求項１または２記載の袖瓦。
【請求項５】
雨受け部（１１）は、開口端（１３）から底部（１４）へ向かって俯角となっている請求項１又は請求項２記載の袖瓦。
【請求項６】
頭見付側雨受け部（１２）は、側面部（３）から下位袖瓦（Ａ）の側面部（３Ａ）に向かって俯角に傾斜している、もしくは水平となっている請求項１または２記載の袖瓦。
【発明の詳細な説明】
【技術分野】
【０００１】
本発明は、切妻屋根など破風を有する屋根に葺設され、特に左右の袖部に兼用できる袖瓦に関するものである。
【背景技術】
【０００２】
従来から、屋根の袖部を納める方法として種々のものが知られている。例として、特許文献１中図１１に記載のように、けらばの上部及び側部を覆うように葺設される袖瓦は、垂れの下端側に下方を向いた段差面を垂れの全長に亘って設けられている。さらにこの段差面は、内隅と外隅が鋭角となるような切り欠きが設けられている。よって、垂れに降りかかった雨水は、段差面に入り込まず外隅で落下し、外隅と破風板の間には少なくとも垂れの肉厚分の間隔が確保され、強風時でなければ雨水は破風板に付着することはない。
【０００３】
そのうえ、破風板を覆う鉛直板部と、この鉛直板部の下端から側方向に突き出した横板部と、横板部の先端より上方に立ち上げられた屈曲部とにより形成された水切り金物が、雨水受けとして配置されている。外隅から落下した雨水をこの水切り金物で受け止めることによって、雨水は破風板を濡らさず、また雨垂れとして地面に落下することなく軒先方向に排水させるという効果を特許文献１発明は発揮する。
【０００４】
なお、特許文献１発明とは別に、袖瓦本体に雨垂れ防止機能を備えた袖瓦として特許文献２記載の発明が知られている。この特許文献２に記載されている図１２によると、（特許文献２記載の）袖瓦は、本体部と本体部から略直角に垂下される垂下部とからなる縦断面が略逆Ｌ字をなし、垂下部の外側下端部に設けた細桟状部材が１段上位に葺設される袖瓦の垂下部から落下してゆく雨水を受け止める構造をしている。これにより、垂下部に集水された雨水を雨垂れとして落下させることがなく、雨垂れ音の抑止により住環境の向上が可能になる効果を発揮する。
【先行技術文献】
【特許文献】
【０００５】
【特許文献１】特開２００７−２２４６３０号公報
【特許文献２】特開２００７−１３８４９５号公報
【発明の概要】
【発明が解決しようとする課題】
【０００６】
しかしながら、特許文献１記載の発明では、上述の効果を発揮するものの、なお解決されない課題があった。すなわち、特許文献１発明に係る袖瓦単独では、破風板を汚さないにしろ、雨垂れを発生させる原因に対して根本の解決には至らない。その原因は、袖瓦単独で雨垂れを抑止する構造はなく、袖瓦とは別の水切り金物により雨垂れを抑止する構造を頼っていることにある。
【０００７】
また、特許文献１記載の発明では、雨水受けとして水切り金物の併用が必須であるが、この水切り金物は、桟瓦と瓦主体との間の雨仕舞としての水切り機能を有し、さらにけらばを覆い、そのうえ破風板の上方まで垂下し、側方向に突き出した横板部と横板部の先端より上方に立ち上げられた屈曲部を設けて雨垂れを受け止める構造になっている。そのため、水切り金物はそれ自体が大型化し、形状は複雑となり、材料のコスト高や長さ調整などによる切断の手間増加が避けられない。また、複数の金物に分割したとしても、管理する部材数の増加や、施工性の悪化が起こりうることから、結果として水切り金物の併用によるデメリットは大きい。
【０００８】
一方の特許文献２発明では、特許文献２記載に係る袖瓦単独で雨垂れ抑止効果を発揮できるものの、左右兼用とすることには問題があった。なぜならば、垂下部の外側下端部に設けた細桟状部材は葺設状態において１段上位または１段下位に葺設される袖瓦の前記細桟状部材と段違いになっている。そのため、袖瓦を同じような効果を期待して兼用できるように改良し反対側の袖部に葺設しようとすると、屋根の上面にくる本体部は、ライン（図１２の複数段葺設された袖瓦において、それぞれの袖瓦の垂下部下端面に当たる部分）が不揃いになる。これを葺設状態の袖瓦の上面部が正面となる位置より見ると、葺設状態の袖瓦は斜めに倒れているように見え、葺設状態の見栄えが悪い。また、葺設状態において頭見付部と細桟状部材との間に隙間があり、袖瓦を兼用として前記隙間が上面にくると、雨仕舞が悪くなり、雨天時には漏水の原因となる恐れがある。よって、前記袖瓦は、住宅の外観や防水性能などの観点から屋根材としての機能を満たせない。
【０００９】
特許文献１発明および特許文献２発明における問題点を踏まえ、本発明の課題は、簡易な形状で施工が容易で、本来の屋根材としての性能を有し、雨垂れ抑止構造を有し、意匠性に優れた袖瓦であって、左右の袖部に兼用できる袖瓦及び／又は上下位に複数段葺設される袖瓦の側面部を伝わって漏れ落ちる雨水を下位袖瓦に伝わって連続して流下させる袖瓦を提供することにある。
【課題を解決するための手段】
【００１０】
本発明は、上記課題を解決するために、けらばを有する屋根の左右の袖部に葺設できる上面部と、その上面部から葺設状態において略直角に垂下する側面部とからなり、横断面が略逆L字又は略L字形であって、左右の袖部にそれぞれ葺設された袖瓦の断面が左右対称となる袖瓦において、前記上面部と前記側面部に設けた長さ方向に延びる切り欠き溝が、側面部から頭見付部まで連続するという手段を採用する。
【００１１】
前記手段を採用することにより、風を伴った降雨により任意の袖瓦が斜め方向から受けた雨水は、袖瓦の側面部を濡らしながら流下する。すると、側面部には長さ方向に延びる切り欠き溝があるので、切り欠き溝がその上の側面部を伝わって流下する雨水を受け止める。
【００１２】
また、本発明に係る袖瓦の上面部と側面部のそれぞれに前記切り欠き溝が存在し、断面が左右対称である。これにより、袖瓦を屋根の左右のけらばに葺設するときは、例えば右のけらばに使用される袖瓦を幅方向に９０度回転させて左のけらばに使用できる。よって、本発明の袖瓦は、１種類で左右の袖部に葺設できる兼用可能な袖瓦となる。
【００１３】
さらに、本発明は前記の課題を解決するための他の手段として、上下位の複数段に葺設される袖瓦において、上位袖瓦の側面部に形成した切り欠き溝が雨水を受けたとき、その雨水が前記切り欠き溝から頭見付部に形成した頭見付側雨受け部を介して、袖瓦の側面部に形成された切り欠き溝に流下するように、突起が切り欠き溝にはまり込み、上位袖瓦の側面部と上位袖瓦の頭見付部及び袖瓦の側面部の各々の切り欠き溝を連接するという手段を採用する。
【００１４】
この手段を採用することにより、任意の袖瓦の側面部を流下し切り欠き溝に入った雨水は、前記袖瓦の下位袖瓦の切り欠き溝に流下する。これらの繰り返しによって、結果的に最上位の袖瓦の側面部が受けた雨水は、切り欠き溝を流下し、雨垂れを発生させることなく軒樋等にまで流下させることができる。
【００１５】
本発明は、上記の作用と以降に述べる効果をより発揮させる目的のために、屋根に袖瓦が葺設された状態において、雨受け部の頭見付部寄りの部位が、他の部位より低位になっているという手段を採用する。この手段を採用することにより、任意の袖瓦の側面部を流下し切り欠き溝内に達した雨水は、尻側ではなく軒先方向（頭見付側）へ流下し、袖瓦からの雨垂れを抑止できる。
【００１６】
また、頭見付側雨受け部は、下位袖瓦の雨受け部と同一高さもしくは下位袖瓦の雨受け部よりも高い位置に位置しているという手段を採用する。この手段を採用することにより、任意の袖瓦の雨受け部を流下してきた雨水を、瓦同士の隙間から落下させることなく前記袖瓦の下位袖瓦の雨受け部に確実に流下させることができる。
【００１７】
さらに、側面部に形成された雨受け部は、開口端から底部に向かって俯角に傾斜している、もしくは水平となっているという手段を採用することにより、任意の袖瓦の側面部を流下してきた雨水は、雨受け部より外側へ溢れさせることなく切り欠き溝内に留めておくことができる。
【００１８】
そのうえ、頭見付側雨受け部は、下位袖瓦の切り欠き溝に向かって俯角に傾斜している、もしくは水平となっているという手段を採用することにより、任意の袖瓦の雨受け部から流下してきた雨水を、頭見付側雨受け部に滑らかに流下させることができる。
【発明の効果】
【００１９】
本発明は、袖瓦が風を伴い斜めから降雨を受けたとき、雨垂れを抑止する性能を備え、また、左右の袖部に兼用することができるという効果を発揮するとともに、水切り金物などの大きな部材を必要としないことから、安価で施工性や意匠性にも富むという効果をも発揮する。
【図面の簡単な説明】
【００２０】
【図１】本発明に係る袖瓦の葺設状態を示す斜視図である。
【図２】本発明に係る袖瓦の水平での葺設状態を表した右側面図である。
【図３】図２記載のイ−イ断面図である。
【図４】図２記載のロ−ロ断面図である。
【図５】本発明に係る袖瓦の左側面図である。
【図６】本発明に係る袖瓦の正面図である。
【図７】図５記載の正面図の一部を拡大した拡大図である。
【図８】本発明の袖瓦の成形状態を表した正面図である。
【図９】本発明に係る袖瓦の葺設状態の一部を拡大した斜視図である。
【図１０】他の実施例における袖側の正面図である。
【図１１】従来技術のケラバ構造の断面図である。
【図１２】他の従来技術に係る袖瓦の葺設状態を示す斜視図である。
【発明を実施するための形態】
【００２１】
図１から図１０を参照しながら、本発明を実施するための最良の形態について説明する。本発明における袖瓦１とは、屋根の切妻など住居本体部よりも張り出した場所で、一般的にけらばや袖部などと呼ばれる箇所に葺設される役物瓦であり、特に指定しない限りけらばの任意の位置に葺設されるものをいう。上面部２及び側面部3は、右側の袖部に葺設した袖瓦１を構成する部分であって、上面部２はけらばの上面を、側面部３はけらばの側面を覆い被せる役割を有する。本発明は兼用可能な袖瓦であり、左側の袖部に葺設された袖瓦の場合は、図中や上述又は以下に示した上面部２と側面部３とは入れ替わる（逆になる）部位である。頭見付部４は、袖瓦１の葺設状態における最も水下側の面であり、尻端部５は袖瓦１の長さ方向に対して頭見付部４と反対に位置し、葺設状態における最も水上側の面である。なお、葺設状態における袖瓦の水下側を単に頭側、同水上側を単に尻側ともいう。突起６は、側面部３の内側に突設され、後述する切り欠き溝１０と互いにはまり合う部位である。このはまり合いにより、水上側より流下した雨水は確実に切り欠き溝に呼び込める。傾斜面７は、上面部２及び側面部３に設けた長さ方向に長い切り欠き溝１０の最も尻端部５寄りに設けてあって、風雨時等に雨水が葺設した袖瓦１同士の隙間から袖瓦１の内側まで入り込むことを防止する部位である。端面８は、上面部２及び側面部３の幅方向の最も端であって、例えば右の袖部に葺設された袖瓦１の頭側を正面としたときに、最も左又は下となる面である。切り欠き溝１０は、上面部２又は側面部３の端面８寄りに形成され、尻端部５付近から長さ方向に長く延び、頭見付部４の最も内側まで連続している部位で、上面部２や側面部３、頭見付部４に対し１段引っ込んだ略樋状の部位である。雨受け部１１は、略樋状の切り欠き溝１０のうち、端面８寄りの面状の部位であって、降雨時等に側面部３が受けた雨水が下方に流下したときに前記雨水を端面まで流下させることなく受け止める部位をいう。頭見付側雨受け部１２とは、頭見付部４に形成され、側面部３に設けられた切り欠き溝１０の雨受け部１１と同様の機能を有する部位である。開口端１３は、雨受け部１１の最も外側であって、雨受け部と同様長さ方向に長く延び、頭見付側雨受け部１２の最内側まで連続しているものをいい、底部１４は、雨受け部１１の最も内側であって、開口端と１３と同様に長く延び、頭見付側雨受け部１２の最内側まで連続している部位をいう。
【００２２】
袖瓦１の基本的構造は、図１〜図４に示すように、上面部２と側面部３が概ねＬ字又は逆Ｌ字となるような、従来から存在する袖部に葺設される袖瓦と同様である。野地板又は桟瓦（図示なし）の上部に葺設される上面部と、その上面部の一側方から略直角に垂下される側面部とからなり、雨仕舞のため袖瓦１の尻側と上位袖瓦１Ｂの頭側は重なり合っている。また、上面部２と側面部３は、それぞれ頭見付４と尻端部５が平行となる概ね台形状をなし、図５に示すように頭見付部幅Ｈ１は尻端部幅Ｈ２に対し袖瓦１の頭見付の厚さＨ３分だけ高くなっている。この頭見付厚さが好ましい例であり、袖瓦１を複数段葺設した状態において、端面８は上位袖瓦１Ｂの端面８Ｂ又は下位袖瓦１Ａの端面８Ａと一直線をなすように揃うので、全体としてシャープな外観となり、意匠的に見栄えも良い。また、袖瓦図６に示すように、右側の袖部に葺設された袖瓦は図中の二点鎖線を軸に線対称となっているため、図６の状態より幅方向に９０度左回転させるだけで、左側の袖部に葺設できる状態となる。
【００２３】
本発明の袖瓦１は、図９に示すように上下位に複数段葺設した状態において、袖瓦１の切り欠き溝１０の尻側と１段上位に葺設される袖瓦１Ｂの突起６Ｂの頭側が葺き足調整可能な状態で重なり合う構造となっている。複数段葺設した袖瓦において、袖瓦１の側面部３に設けた略樋状の切り欠き溝１０と、頭見付部４の内側に突起６を設け、切り欠き溝１０に上位袖瓦１Ｂの突起６Ｂがはまり込むことにより、袖瓦の重なり部分における樋状の隙間は生じない。さらに、切り欠き溝１０と突起６がはまり込むことにより、上位袖瓦１Ｂの雨受け部１１Ｂより流れてきた雨水を頭見付側雨受け部１２Ｂを経て袖瓦１の雨受け部１１へ呼び込むことができる。
【００２４】
上記のように袖瓦１の重なり部分の隙間は、図４や図９に示すように、切り欠き溝１０と上位袖瓦１Ｂの突起６Ｂとのはまり込みにより小さくなるが、特に上面部２においては、けらばに対し正面方向より風雨を伴った場合、袖瓦１に設けた切り欠き溝１０に降りかかった雨水は、風の影響により袖瓦１の重なり部分へ入り込む不安がある。この不安を払拭させるため、切り欠き溝１０の尻端部５寄りに、水返しとして傾斜面７を設けることで、雨水が切り欠き溝１０と突起６Ｂとの間の隙間より袖瓦１の内側まで侵入したとしても、けらば内部まで浸水させることがなく、ひいては屋内への漏水を招くことはない。
【００２５】
本発明の切り欠き溝１０は、上面部２及び側面部３の端面８寄りに形成されていることが望ましい。これにより、上面部２及び側面部３に降りかかった雨水は雨垂れとして落下させず、雨受け部１１に、より多くの雨水を保持することができる。また、切り欠き溝１０を頭見付部４まで連続して設けることで、側面部に受けた雨水は頭見付部４を介して下位袖瓦の雨受け部１１Ａに流下させられる。これを連続させることにより、複数段葺設した袖瓦であっても、側面部が受けた雨水のより多くを軒先さらには軒樋まで流下させられるようになっている。
【００２６】
本発明の雨受け部１１は、図７に示すように袖瓦１の葺設状態において尻側の部位よりも頭側の部位が低位であることが望ましい。これにより、側面部３の任意の箇所に降りかかった雨水が切り欠き溝１０を流下し、雨受け部１１で流下を抑止したとき、前記雨水は雨受け部１１上に留まることなく、頭側へ流下する方向を変える。本発明の雨受け部１１は、袖瓦１の葺設状態において頭側が尻側よりも低位になっていればよく、袖瓦１を水平状態としたときに、雨受け部１１の尻側が頭側より低位になっていてもよい。
【００２７】
さらに、雨受け部１１は地面に対して水平、もしくは開口端１３から底部１４に向かって俯角の傾斜となっていることが望ましい。これにより、側面部３に降りかかった雨水が側面部３を流下し雨受け部１１に達したとき、前記雨水は、雨受け部１１よりも側面部３の外側へ溢れさせることなく雨受け部１１で留めておくことができる。
【００２８】
本発明の頭見付側雨受け部１２は、複数段葺設した袖瓦において、下位袖瓦１Ａの雨受け部１１Ａと同一高さもしくは下位袖瓦１Ａの雨受け部１１Ａよりも高い位置に位置していることが望ましい。これにより、雨受け部１１より流下してきた雨水が頭見付側雨受け部１２に達したとき、雨水はその先の流路として下位袖瓦１Ａの雨受け部１１Ａへ流下する。頭見付側雨受け部１２の位置を単に任意の位置とすると、頭見付部４と下位袖瓦１Ａの側面部３Ａとの間で流路が断たれる。このことから、雨垂れを起こさず雨水を流下させるためには、頭見付側雨受け部１２が、下位袖瓦１Ａの雨受け部１１Ａと同一高さもしくは雨受け部１１Ａよりも高い位置に位置していることが必要な条件となる。
【００２９】
また、頭見付側雨受け部１２は、雨受け部１１側から下位袖瓦１Ａの雨受け部１１Ａに向かって俯角に傾斜していることが望ましい。これにより、軒先に近い袖瓦など雨受け部１１を流下する雨水は、その流量が増加したとしても雨受け部１１から頭見付側雨受け部１２へ回りこみ易くすることができる。
【００３０】
複数段葺設した袖瓦の雨受け部１１及び頭見付側雨受け部１２と雨水の流れの関係について説明する。雨水の流路は、風雨時において（い）側面部３の雨受け部１１より上方に降りかかった雨水は、側面部３、切り欠き溝１０を伝って雨受け部１１まで達するが、雨受け部１１は開口端１３と底部１４が水平もしくは開口端１３が底部１４よりも高い位置になっており、さらには開口端１３付近で表面張力が働くため、ここで雨水の鉛直下向きの流路は外側に溢れることなく止められる。（ろ）雨受け部１１は頭見付部４が水下側となるように傾斜がついているため、雨受け部１１で鉛直方向の流路を止められた雨水は、頭側へ流路を変え流下する。（は）頭側に流路を変えた雨水は、雨受け部１１の頭側まで流下した後、回り込むように頭見付側雨受け部１２へ達する。（に）頭見付側雨受け部１２に達した雨水は、下位袖瓦１Ａの雨受け部１１Ａへ達する。つまり、任意の袖瓦において、（い）の要領で雨受け部１１に流下した雨水は、雨垂れを発生させることなく（ろ）から（に）の要領で雨水を軒先さらには軒樋等へと流下させることができる。
【００３１】
このようにして、本発明は、切妻屋根などの袖部に葺設される袖瓦１が風雨を受けたとき、側面部３に降りかかった雨水が雨垂れとして落下させることなく雨受け部１１で抑止でき、ひいては雨垂れ音の発生の防止や住宅の景観を損ねないという効果を発揮する。
【００３２】
なお、本発明は上述の好例に限定されるものではなく、その根本的技術思想を逸脱しない範囲において適宜変更することができる。また、切り欠き溝１０を１段に限らず２段、３段として形状変更することや、連続する雨垂れ抑止部について雨水の流下を滑らかにする目的で雨受け部１１と頭見付側雨受け部１２との間の形状を角面や丸面に面取りすることもできる。さらには、材質を問わず屋根材としての機能を有するものであって、袖部に葺設されるものに幅広く応用できる。さらには、従来の袖瓦と同じように、屋根に葺設するための釘穴があり、固定するための釘が用いられ、前記釘穴や前記釘には防水性や施工性等の観点から問題のない位置、材質が選択されるものである。
【産業上の利用可能性】
【００３３】
本発明は、けらば及び／又は破風板を保護する用途に使用される袖瓦として切妻屋根に広く有用できる。
【符号の説明】
【００３４】
１    袖瓦
１Ａ    下位袖瓦
１Ｂ    上位袖瓦
２、２Ａ、２Ｂ    上面部
３、３Ａ、３Ｂ    側面部
４、４Ａ、４Ｂ    頭見付部
５、５Ｂ    尻端部
６、６Ａ    突起
７、７Ｂ    傾斜面
８、８Ａ、８Ｂ    端面
１０、１０Ａ、１０Ｂ    切り欠き溝
１１、１１Ａ、１１Ｂ    雨受け部
１２、１２Ａ、１２Ｂ    頭見付側雨受け部
１３、１３Ａ    開口端
１４、１４Ａ    底部
７０    けらば
７１    破風板
７２    けらば垂木
７３    上部
７４    側部
８０    桟瓦
８１    袖瓦
８２    瓦主体
８３    垂れ
８４    外隅
８５    段差面
８６    内隅
８７    下端面
９０    水切り部材
９１    鉛直板部
９２    第一屈曲部
９３    横板部
９４    第二屈曲部
９５    立ち上げ部
１００    袖瓦
１０１    本体部
１０２    垂下部
１０３    細桟状部材
Ｈ１    頭見付部幅
Ｈ２    尻端部幅
Ｈ３    頭見付の厚さ
【図１】
2010190003.tif 000003
【図２】
2010190003.tif 000004
【図３】
2010190003.tif 000005
【図４】
2010190003.tif 000006
【図５】
2010190003.tif 000007
【図６】
2010190003.tif 000008
【図７】
2010190003.tif 000009
【図８】
2010190003.tif 000010
【図９】
2010190003.tif 000011
【図１０】
2010190003.tif 000012
【図１１】
2010190003.tif 000013
【図１２】
2010190003.tif 000014